(57)【要約】【課題】            温度上昇や強い衝撃等に起因してキャップ内に溜まったインクが、キャップ外へ流出してしまうのを、生産性が良好で一体的な簡素構造によって防ぐことができる筆記具用キャップを提供する。【解決手段】          筆記具Ａの軸筒前端側に着脱可能に装着されて、インクを吐出するための筆記部ａ２を覆う筆記具用キャップであって、当該キャップ１内には、上記軸筒ａ１に対し環状に密接するシール部１２が設けられるとともに、このシール部１２と前記軸筒ａ１との密接箇所よりも前方側に、筆記部ａ２から流出した場合のインクを毛細管力により保持するインク保持部１１が設けられ、このインク保持部１１は、複数の貯溜溝１１ａにより構成されていることを特徴とする。【選択図】          図１
2006095835.tif 000002
【特許請求の範囲】
【請求項１】
筆記具の軸筒前端側に着脱可能に装着されて、インクを吐出するための筆記部を覆う筆記具用キャップであって、
当該キャップ内には、前記軸筒に対し環状に密接するシール部が設けられるとともに、このシール部と前記軸筒との密接箇所よりも前方側に、前記筆記部から流出した場合のインクを毛細管力により保持するインク保持部が設けられ、
このインク保持部は、複数の貯溜溝により構成されていることを特徴とする筆記具用キャップ。
【請求項２】
上記インク保持部を第一インク保持部とするとともに、上記シール部と上記軸筒との密接箇所よりも後方側に、上記筆記部から流出した場合のインクを毛細管力により保持する第二インク保持部を設けたことを特徴とする請求項１記載の筆記具用キャップ。
【請求項３】
上記キャップの外周面に、上記軸筒の外周面よりも遠心方向へ突出し、且つ軸方向へわたる羽状部を複数設けたことを特徴とする請求項１又は２記載の筆記具用キャップ。
【発明の詳細な説明】
【技術分野】
【０００１】
本発明は、例えばサインペンやマーキングペン等の筆記具に対して装着される筆記具用キャップに関するものである。
【背景技術】
【０００２】
従来、この種の発明は、特許文献１に記載されているように、軸筒（容器本体１）の前端側に着脱可能に装着されて、インクを吐出するための筆記部（塗布先３）を覆う有底筒状のキャップが一般的である。
この従来技術では、キャップ内周面の後端側と軸筒前端側の外周面とを密接させたシール箇所により、キャップ内を密封し、温度上昇や強い衝撃等に起因して、筆記部からインクが過剰に流出した場合であっても、そのインクがキャップ外へ流出してしまうのを防いでいる。
しかし、この従来技術によれば、不意の強い衝撃等によりキャップが外れかかっている場合や、不適切な使用により前記シール箇所に傷が付いた場合等には、前記シール箇所における密接状態が不完全になり、温度上昇や強い衝撃等に起因してキャップ内に溜まったインクが、前記不完全なシール箇所を介して、キャップ外へ流出してしまうおそれがある。
【０００３】
また、他の従来技術としては、特許文献２に記載されているように、軸筒（筆記具本体２０）の前端側に着脱可能に装着されてインクを吐出するための筆記部（ペン先２１）を覆う有底筒状のキャップ（Ａ）であって、該キャップ（Ａ）の底面に、筆記部（ペン先２１）に対し接触させるように、吸液部材（１２）を備えたものもあり、この従来技術によれば、筆記部（ペン先２１）から過剰に流出した場合のインクを、吸液部材（１２）により吸収する作用が、ある程度期待される。
【０００４】
しかしながら、後者の従来技術では、キャップ（Ａ）内に、繊維材料からなる吸液部材（１２）を備えるようにしているため、該吸液部材（１２）を装着するための組付け作業に時間を要する上、キャップ（Ａ）が外されている状態では吸液体部材（１２）が不意の衝撃等によりズレたり外れたりするおそれがあった。
【特許文献１】特開２００４−２０２９４６号公報
【特許文献２】特開平８−２３０３８５号公報
【発明の開示】
【発明が解決しようとする課題】
【０００５】
本発明は上記従来事情に鑑みてなされたものであり、その課題とする処は、温度上昇や強い衝撃等に起因してキャップ内に溜まったインクが、キャップ外へ流出してしまうのを、生産性が良好で一体的な簡素構造によって防ぐことができる筆記具用キャップを提供することにある。
【課題を解決するための手段】
【０００６】
上記課題を解決するために第一の発明では、筆記具の軸筒前端側に着脱可能に装着されて、インクを吐出するための筆記部を覆う筆記具用キャップであって、当該キャップ内には、前記軸筒に対し環状に密接するシール部が設けられるとともに、このシール部と前記軸筒との密接箇所よりも前方側に、前記筆記部から流出した場合のインクを毛細管力により保持するインク保持部が設けられ、このインク保持部は、複数の貯溜溝により構成されていることを特徴とする。
【０００７】
また、第二の発明では、上記インク保持部を第一インク保持部とするとともに、上記シール部と上記軸筒との密接箇所よりも後方側に、上記筆記部から流出した場合のインクを毛細管力により保持する第二インク保持部を設けたことを特徴とする。
ここで、上記第二インク保持部は、毛細管力によりインクを保持可能な構成であればよく、この構成には、繊維体や、発泡体、溝等を含む。
【０００８】
また、第三の発明では、上記キャップの外周面に、上記軸筒の外周面よりも遠心方向へ突出し、且つ軸方向へわたる羽状部を複数設けたことを特徴とする。
【発明の効果】
【０００９】
本発明は、以上説明したように構成されているので、以下に記載されるような作用効果を奏する。
第一の発明によれば、温度上昇や強い衝撃等に起因して、筆記部から過剰にインクが流出したとしても、そのインクは、インク保持部の毛細管力によって吸収され、密閉されたキャップ内で保持される。したがって、キャップ内に溜まったインクが、キャップ外へ流出してしまうのを防ぐことができる。
しかも、繊維体や発泡体等からなるインク保持部と比較し、キャップと一体的で生産性の良好な簡素構造によってインク保持部を構成することができる。
【００１０】
更に、第二の発明によれば、温度条件や、不意の強い衝撃、シール箇所の傷等、悪条件が重なり、インクがシール部よりも後方側へ流出した場合であっても、そのインクが、インク保持部の毛細管力により保持される。よって、インクのキャップ外への流出を、より確実に防ぐことができる。
【００１１】
また、第三の発明によれば、キャップ外周面から遠心方向へ突出する複数の羽状部が手掛けとして作用する。すなわち、羽状部に手を掛けてキャップを引っ張ったり、羽状部に手を掛けてキャップを回したり等することができ、軸筒に対するキャップの着脱を容易に行うことができる。しかも、複数の羽状部材は、当該筆記具の転がり防止としても作用する。
【発明を実施するための最良の形態】
【００１２】
以下、本発明の実施の形態を図面に基づいて説明する。
本実施の形態の筆記具用キャップ１は、筆記具Ａの一部分として構成され、筆記具Ａにおける軸筒ａ１の前端側に着脱可能に装着されている。
【００１３】
筆記具Ａは、軸筒ａ１内のインクを、軸筒ａ１前端側の筆記部ａ２へ導き、筆記部ａ２からインクを吐出するものであればよく、例えば、サインペンやマーカーペン等として構成される。
筆記部ａ２は、合成繊維やその他の繊維を略軸状に束ねてなる所謂フェルトペンであり、その後端側を軸筒ａ１内へ挿入するとともに、その前端側を、軸筒ａ１前端から露出させた状態で保持されている。なお、この筆記部ａ２は、軸筒ａ１内のインクを前方へ導いて吐出するものであればよく、例えば、発泡体から形成された態様としてもよい。
また、軸筒ａ１は、その前端側における先細状の先口部ａ１１よりも若干後方側の部位に、周方向にわたる環状凸部ａ１２を備え、この環状凸部ａ１２に、後述する筆記具用キャップ１を乗り越え嵌合させるようにしている。
【００１４】
筆記具用キャップ１は、合成樹脂材料（例えばポリプロピレン等）によって一体成型され、筆記部ａ２を覆い包むように配置された内筒部１０と前記筆記具Ａの先口部ａ１１を覆うようにして内筒部１０の周囲に配置された外筒部２０とを具備している。
【００１５】
内筒部１０とは、略有底筒状に形成され、その前端側（図１における下端側）の内周面に第１インク保持部１１を有するとともに、後端側には、シール部１２を有する。
【００１６】
第１インク保持部１１は、内筒部１０の軸心周囲に、軸方向へわたる貯溜溝１１ａを放射状に複数配設するとともに、これら複数の貯溜溝１１ａの軸心側に円筒状の空間部１１ｂを形成することで構成される。そして、この第１インク保持部１１は、筆記部ａ２と干渉しないように、筆記部ａ２よりも前方側に配置されている。
各貯溜溝１１ａは、インクを毛細管力によって効果的に吸収できるように、その溝幅が軸方向及び径方向へわたって略一定となるように形成されている（図２参照）。
【００１７】
また、内筒部１０の後端側の内周面には、先口部ａ１１前端側の外周面に対し、その全周にわたって密接するようにシール部１２が形成されている。
なお、図示例によれば、このシール部１２を環状の凸部とするとともに先口部ａ１１前端側の外周面をフラット面としているが、逆にこのシール部１２をフラット面とするとともに先口部ａ１１前端側の外周面をフラット面としたり、双方が凹凸状に密接する構成としたりしてもよい。
【００１８】
また、外筒部２０は、当該筆記具用キャップ１の略全長にわたる略筒状を呈し、その軸方向の中途部位に配置された環状連結部２１により、内筒部１０の後端側の外周面に接続されている。
そして、この外筒部２０の内周面には、シール部１２よりも後方側で、インクを毛細管作用によって保持する第２インク保持部２２が形成されている。
【００１９】
第２インク保持部２２は、放射状に複数の案内条２２ａを配設することで、周方向に隣合う各案内条２２ａ，２２ａ間に軸方向の貯溜溝２２ｂを形成している。
前記各案内条２２ａは、その後端部に、筆記部ａ２を前記内筒部１０内へ案内するための傾斜面を形成している。
そして、各貯溜溝２２ｂは、その前端側を内筒部１０の周囲へ入り込ませるようにして略袋状に形成されている（図１及び図３参照）。
【００２０】
また、外筒部２０の内周面において、前記第２インク保持部２２よりも後方側には、求心方向へ突出する係合凸部２４が、周方向に複数設けられている。
この係合凸部２４は、当該筆記具用キャップ１が軸筒ａ１に装着される際に、軸筒ａ１前端側の環状凸部ａ１２に対して乗り越え嵌合するように配置される。
【００２１】
また、外筒部２０の外周面には、軸筒ａ１の外周面よりも遠心方向へ突出し、且つ軸方向へわたるように、羽状部２３が複数形成されている。
各羽状部２３は、その突縁部２３ａを略凸湾曲状に形成することで、手で握られた際の感触を良好にしている。
そして、各羽状部２３は、その前端部２３ｂを内筒部１０の前端外面よりも、前方へ突出させることで、当該筆記具用キャップ１を机面等に対し直立させることを可能にしている。
【００２２】
また、隣合う羽状部２３，２３の間隔は、筆記具Ａの使用者の指が挿入される程度に設定され、図示例によれば、周方向における所定間隔置きに４つ配設される。
そして、外筒部２０の周壁となる部位であって、隣り合う羽状部４１，４１の間となる部位には、筆記具Ａの使用者の指が掛けられ易いように、凹部４２が形成されている。
【００２３】
次に、上記構成の筆記具用キャップ１について、その作用効果を詳細に説明する。
軸筒ａ１に筆記具用キャップ１が装着された状態で、温度上昇や強い衝撃等に起因して、筆記部ａ２から過剰にインクが流出した場合、そのインクは、内筒部１０と内の密閉された空間内で、第１インク保持部１１によって吸収される。
したがって、この状態で、軸筒ａ１から筆記具用キャップ１が外されたとしても、筆記具用キャップ１内から外部へインクが飛散するのを防ぐことができる。
【００２４】
また、長期間の使用等によりシール部１２や、該シール部１２により密接される軸筒ａ１側の面に傷がついた場合等であって、内筒部１０内に、第１インク保持部１１によって吸収しきれない量のインクが貯溜され、このインクがシール部１２よりも後方側へ洩れた場合には、この洩れたインクが、第２インク保持部２２の毛細管力によって保持されることになる。
したがって、この第２インク保持部２２よって、筆記具用キャップ１内から外部へインクが流出するのを、より確実に防ぐことができる。
【００２５】
また、図示例の筆記具用キャップ１によれば、第１インク保持部１１及び第２インク保持部２２が筆記部ａ２と接触しない位置に配置されるため、筆記部ａ２が第１インク保持部１１や第２インク保持部２２により押圧されて、該筆記部ａ２からインクを流出するようなこともない。
【００２６】
なお、上記第１インク保持部１１の断面形状は、上述した構成に限定されるものでなく、例えば、図４〜図７に示す態様とすることが可能である。同様にして、
第２インク保持部２２の断面形状も、上述した構成に限定されるものでなく、例えば、図８及び図９に示す態様とすることが可能である。
次に、第１インク保持部１１及び第２インク保持部２２の他の態様について、詳細に説明する。なお、以下に示す態様において、先に説明した構成と略同様の箇所については同一の符号を付けることで、重複する詳細説明を省略する。
【００２７】
図４に示す第１インク保持部３１は、図１及び図２に示した第１インク保持部１１における貯溜溝１１ａの遠心方向端部側に、筒状貯溜溝３１ｂを配設した構成となっている。
筒状貯溜溝３１ａは、貯溜溝１１ａに対し、その軸方向の略全長にわたって連通している。
この第１インク保持部３１によれば、筒状貯溜溝３１ａによりインクの貯溜容量を増加することができ、ひいては、筆記具用キャップ１外へのインクの流出をより確実に防ぐことができる。
【００２８】
また、図５に示す第１インク保持部３２は、図１及び図２に示した第１インク保持部１１における貯溜溝１１ａの求心方向側の空間部１１ｂに、凸部３２ａを配設することで構成されている。
凸部３１ａは、貯溜溝１１ａの軸方向の略全長にわたる略円柱状の突起であり、内筒部１０の前端面から略直立するように設けられている。
この第１インク保持部３２によれば、放射状の貯溜溝１１ａによる毛細管力に加えて、凸部３２ａの周囲の円筒状の空間によっても毛細管力を得ることができる。したがって、筆記部ａ２から流出した場合のインクを、より効果的に吸収することができる。
また、不意の強い衝撃等によって筆記部ａ２のみが前方へ移動した場合には、その筆記部ａ２に対し、凸部３２ａの突端面が当接する。そのため、筆記部ａ２が先口部ａ１１から抜け出てしまうのを防止することができる。
【００２９】
また、図６に示す第１インク保持部３３は、図１及び図２に示した第１インク保持部１１に対し、上記筒状貯溜溝３１ａ及び上記凸部３２ａを加えた構成となっている。
この第１インク保持部３３によれば、インク貯溜容量を比較的多く確保することができる上、凸部３２ａによって筆記部ａ２の抜け出しを防止することもできる。
【００３０】
また、図７に示す第１インク保持部３４は、図４に示す第１インク保持部３１において、複数の貯溜溝１１ａの軸心側の空間部１１ｂを埋め、その埋まった樹脂部分３４ａを、隣合う貯溜溝１１ａ間の仕切り壁１１ｃに連結することで構成されている。
この第１インク保持部３４によれば、複数の貯溜溝１１ａ及びその周囲の筒状貯溜溝３１ａによって十分なインク貯溜量を確保することができる上、樹脂部分３４ａによって筆記部ａ２の抜け出しを防止することができる。
また、仕切り壁１１ｃが軸心側で樹脂部分３４ａに連結されているため、仮に貯溜溝１１ａの数を周方向に増やしてインク貯溜量をより多く確保しようとした場合であっても、比較的薄肉に形成される仕切り壁１１ｃの強度を十分に確保することができる。
【００３１】
また、図８に示す第２インク保持部４１は、図１及び図３に示した第２インク保持部２１における貯溜溝２２ｂの遠心方向端部側に、筒状貯溜溝４１ａを配設した構成となっている。
貯溜溝２２ｂは、貯溜溝２２ｂに対し、その軸方向の上半部側（図８（ａ）（ｂ）に示す部分）における略全長にわたって連通している。
この第２インク保持部４１によれば、筒状貯溜溝４１ａによりインクの貯溜容量を増加することができ、ひいては、筆記具用キャップ１外へのインクの流出を一層確実に防ぐことができる。
【００３２】
また、図９に示す第２インク保持部５１は、図８に示した第２インク保持部４１に対し、更に補助貯溜溝５１ａを加えた構成となっている。
補助貯溜溝５１ａは、周方向に隣合う貯溜溝２２ｂ，２２ｂ間に配置されるとともに、貯溜溝２２ｂの略全長にわたる溝であり、その遠心方向側で筒状貯溜溝４１ａと連通している。
この第２インク保持部５１によれば、補助貯溜溝５１ａによりインクの貯溜容量及び毛細管力を効果的に増加することができ、ひいては、筆記具用キャップ１外へのインクの流出を、更に確実に防ぐことができる。
【００３３】
なお、上記実施の形態によれば、シール部１２よりも側の第１インク保持部１１（又は、３１，３２，３３，３４）と、シール部１２よりも後方側の第２インク保持部２２（又は、４１，５１）との二つのインク保持部を設けた特に好ましい態様を示しているが、何れか一方のインク保持部を省いた態様とすることも可能である。
【図面の簡単な説明】
【００３４】
【図１】本発明に係わる筆記具用キャップの一例を示す縦断面図である。
【図２】第１インク保持部の一例を示す横断面図であり、図１における(I)-(I)線断を示す。
【図３】第２インク保持部の一例を示す横断面図であり、（ａ）は図１における(II)-(II)線断面、（ｂ）は同図１における(III)-(III)線断面、（ｃ）は同図１における(IV)-(IV)線断面を示す。
【図４】第１インク保持部の他例を示す横断面図である。
【図５】第１インク保持部の他例を示す横断面図である。
【図６】第１インク保持部の他例を示す横断面図である。
【図７】第１インク保持部の他例を示す横断面図である。
【図８】第２インク保持部の他例を示す横断面図である。
【図９】第２インク保持部の他例を示す横断面図である。
【符号の説明】
【００３５】
１：筆記具用キャップ
１１，３１，３２，３３，３４：第１インク保持部
１１ａ：貯溜溝
１２：シール部
２１，４１，５１：第２インク保持部
２２ｂ：貯溜溝
Ａ：筆記具
ａ２：筆記部
【図１】
2006095835.tif 000003
【図２】
2006095835.tif 000004
【図３】
2006095835.tif 000005
【図４】
2006095835.tif 000006
【図５】
2006095835.tif 000007
【図６】
2006095835.tif 000008
【図７】
2006095835.tif 000009
【図８】
2006095835.tif 000010
【図９】
2006095835.tif 000011